【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
多数の歯を備え、帯鋸盤の鋸刃ガイド装置に走行可能に支持される帯鋸刃であって、当該帯鋸刃の背側に、多数の凹凸部が連続して形成され、各凹凸部は、それぞれ、前記鋸刃ガイド装置におけるバックアップガイドに係合，離脱可能な凹部と、この凹部に隣接する凸部とからなり、前記凹凸部の長さが前記歯における歯先の最大ピッチの４倍の長さ以下になるように構成され、かつ前記凹部が前記バックアップガイドに係合、離脱することによって帯鋸刃の帯幅方向へ強制的に振動される振幅が０．１ｍｍ〜０．５ｍｍであることを特徴とする帯鋸刃。
【請求項２】
請求項１に記載の帯鋸刃において、前記凹凸部の凹部は、深さ寸法よりも長さ寸法が大きな長方形に形成してあることを特徴とする帯鋸刃。
【請求項３】
多数の歯を備え、帯鋸盤の鋸刃ガイド装置に走行可能に支持される帯鋸刃であって、当該帯鋸刃の背側に、前記鋸刃ガイド装置におけるバックアップガイドに係合，離脱可能な多数のノッチ部が連続して形成され、前記ノッチ部の長さが前記歯における歯先の最大ピッチの４倍の長さ以下になるように構成され、かつ前記ノッチ部が前記バックアップガイドに係合、離脱することによって帯鋸刃の帯幅方向へ強制的に振動される振幅が０．１ｍｍ〜０．５ｍｍであることを特徴とする帯鋸刃。
【請求項４】
支持フレーム（３）に設けたテーブル（５）に支持されているワーク（Ｗ）に対して接近する方向へ相対的に移動自在に設けた鋸刃ハウジングに主動ホイール（１９）と従動ホイール（２１）とを回転自在に設け、上記主動ホイール（１９）と従動ホイール（２１）とに掛け回された無端状の帯鋸刃（２３）の歯先がワーク（Ｗ）側に向くように前記帯鋸刃（２３）を案内する一対の鋸刃ガイド装置（２５）を備えた帯鋸盤に使用される帯鋸刃であって、帯鋸刃の背側に連続して形成された凹凸部の長さＰは、帯鋸刃における歯先の最小ピッチＴmin以上で最大ピッチＴmaxの４倍以下であり、かつ前記凹凸部における凹部（３５）の長さＬは、前記鋸刃ガイド装置（２５）において帯鋸刃（２３）の背側を支持するバックアップローラ（２９）の直径より小さいことを特徴とする帯鋸刃。
【請求項５】
支持フレーム（３）に設けたテーブル（５）に支持されているワーク（Ｗ）に対して接近する方向へ相対的に移動自在に設けた鋸刃ハウジングに主動ホイール（１９）と従動ホイール（２１）とを回転自在に設け、上記主動ホイール（１９）と従動ホイール（２１）とに掛け回された無端状の帯鋸刃（２３）の歯先がワーク（Ｗ）側を向くように前記帯鋸刃（２３）を案内する一対の鋸刃ガイド装置（２５）を備えた帯鋸盤に使用される帯鋸刃であって、帯鋸刃の背側に連続して形成された凹凸部の長さＰは、帯鋸刃における歯先の最小ピッチＴmin以上で最大ピッチＴmaxの４倍以下であり、かつ前記凹凸部における凹部（３５）は、深さＢ、長さＬの長方形又は底面側のコーナをＲ状に形成した長方形に形成してあることを特徴とする帯鋸刃。
【請求項６】
請求項５に記載の帯鋸刃において、前記凹部の長さＬは、前記鋸刃ガイド装置（２５）において帯鋸刃（２３）の背側を支持するバックアップローラ（２９）の直径より小さいことを特徴とする帯鋸刃。
【請求項７】
請求項５又は６に記載の帯鋸刃において、凹凸部における凹部の長さと凸部の長さとがほぼ等しいことを特徴とする帯鋸刃。
【請求項８】
請求項５又は６に記載の帯鋸刃において、凹凸部における凹部の長さと凸部の長さは異なる長さであることを特徴とする帯鋸刃。
【請求項９】
請求項８に記載の帯鋸刃において、複数の凹凸部における凸部の長さが異なることを特徴とする帯鋸刃。
【請求項１０】
請求項８に記載の帯鋸刃において、複数の凹凸部における凹部の長さが異なることを特徴とする帯鋸刃。
【手続補正２】
【補正対象書類名】明細書
【補正対象項目名】発明の名称
【補正方法】変更
【補正の内容】
【発明の名称】帯鋸刃
【手続補正３】
【補正対象書類名】明細書
【補正対象項目名】０００１
【補正方法】変更
【補正の内容】
【０００１】
本発明は、多数の歯を備えた帯鋸刃に関する。
【手続補正４】
【補正対象書類名】明細書
【補正対象項目名】０００３
【補正方法】変更
【補正の内容】
【０００３】
なお、本発明に関連する先行技術として特許文献１に示すものがある。
【特許文献１】特許第２８５３７６７号公報
【手続補正５】
【補正対象書類名】明細書
【補正対象項目名】０００５
【補正方法】変更
【補正の内容】
【０００５】
上記に鑑みて、本発明は、多数の歯を備え、帯鋸盤の鋸刃ガイド装置に走行可能に支持される帯鋸刃であって、当該帯鋸刃の背側に、多数の凹凸部が連続して形成され、各凹凸部は、それぞれ、前記鋸刃ガイド装置におけるバックアップガイドに係合，離脱可能な凹部と、この凹部に隣接する凸部とからなり、前記凹凸部の長さが前記歯における歯先の最大ピッチの４倍の長さ以下になるように構成され、かつ前記凹部が前記バックアップガイドに係合、離脱することによって帯鋸刃の帯幅方向へ強制的に振動される振幅が０．１ｍｍ〜０．５ｍｍであることを特徴とするものである。
【手続補正６】
【補正対象書類名】明細書
【補正対象項目名】０００６
【補正方法】変更
【補正の内容】
【０００６】
また、前記帯鋸刃において、前記凹凸部の凹部は、深さ寸法よりも長さ寸法が大きな長方形に形成してあることを特徴とするものである。
【手続補正７】
【補正対象書類名】明細書
【補正対象項目名】０００７
【補正方法】変更
【補正の内容】
【０００７】
また、多数の歯を備え、帯鋸盤の鋸刃ガイド装置に走行可能に支持される帯鋸刃であって、当該帯鋸刃の背側に、前記鋸刃ガイド装置におけるバックアップガイドに係合，離脱可能な多数のノッチ部が連続して形成され、前記ノッチ部の長さが前記歯における歯先の最大ピッチの４倍の長さ以下になるように構成され、かつ前記ノッチ部が前記バックアップガイドに係合、離脱することによって帯鋸刃の帯幅方向へ強制的に振動される振幅が０．１ｍｍ〜０．５ｍｍであることを特徴とするものである。
【手続補正８】
【補正対象書類名】明細書
【補正対象項目名】０００８
【補正方法】変更
【補正の内容】
【０００８】
また、支持フレーム（３）に設けたテーブル（５）に支持されているワーク（Ｗ）に対して接近する方向へ相対的に移動自在に設けた鋸刃ハウジングに主動ホイール（１９）と従動ホイール（２１）とを回転自在に設け、上記主動ホイール（１９）と従動ホイール（２１）とに掛け回された無端状の帯鋸刃（２３）の歯先がワーク（Ｗ）側に向くように前記帯鋸刃（２３）を案内する一対の鋸刃ガイド装置（２５）を備えた帯鋸盤に使用される帯鋸刃であって、帯鋸刃の背側に連続して形成された凹凸部の長さＰは、帯鋸刃における歯先の最小ピッチＴmin以上で最大ピッチＴmaxの４倍以下であり、かつ前記凹凸部における凹部（３５）の長さＬは、前記鋸刃ガイド装置（２５）において帯鋸刃（２３）の背側を支持するバックアップローラ（２９）の直径より小さいことを特徴とする。
【手続補正９】
【補正対象書類名】明細書
【補正対象項目名】０００９
【補正方法】変更
【補正の内容】
【０００９】
また、支持フレーム（３）に設けたテーブル（５）に支持されているワーク（Ｗ）に対して接近する方向へ相対的に移動自在に設けた鋸刃ハウジングに主動ホイール（１９）と従動ホイール（２１）とを回転自在に設け、上記主動ホイール（１９）と従動ホイール（２１）とに掛け回された無端状の帯鋸刃（２３）の歯先がワーク（Ｗ）側を向くように前記帯鋸刃（２３）を案内する一対の鋸刃ガイド装置（２５）を備えた帯鋸盤に使用される帯鋸刃であって、帯鋸刃の背側に連続して形成された凹凸部の長さＰは、帯鋸刃における歯先の最小ピッチＴmin以上で最大ピッチＴmaxの４倍以下であり、かつ前記凹凸部における凹部（３５）は、深さＢ、長さＬの長方形又は底面側のコーナをＲ状に形成した長方形に形成してあることを特徴とする。
【手続補正１０】
【補正対象書類名】明細書
【補正対象項目名】００１０
【補正方法】変更
【補正の内容】
【００１０】
また、前記帯鋸刃において、前記凹部の長さＬは、前記鋸刃ガイド装置（２５）において帯鋸刃（２３）の背側を支持するバックアップローラ（２９）の直径より小さいことを特徴とする。
【手続補正１１】
【補正対象書類名】明細書
【補正対象項目名】００１１
【補正方法】変更
【補正の内容】
【００１１】
また、前記帯鋸刃において、凹凸部における凹部の長さと凸部の長さとがほぼ等しいことを特徴とする。
【手続補正１２】
【補正対象書類名】明細書
【補正対象項目名】００１２
【補正方法】変更
【補正の内容】
【００１２】
また、前記帯鋸刃において、凹凸部における凹部の長さと凸部の長さは異なる長さであることを特徴とする。
【手続補正１３】
【補正対象書類名】明細書
【補正対象項目名】００１３
【補正方法】変更
【補正の内容】
【００１３】
また、前記帯鋸刃において、複数の凹凸部における凸部の長さが異なることを特徴とする。
【手続補正１４】
【補正対象書類名】明細書
【補正対象項目名】００１４
【補正方法】変更
【補正の内容】
【００１４】
また、前記帯鋸刃において、複数の凹凸部における凹部の長さが異なることを特徴とする。
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】変更
【補正の内容】
【００３６】
本発明によれば、前記切削領域にて、前記歯がワークに食い込む動作と、前記歯が切り屑を削り取る動作を短い間隔で交互に繰り返して行うことができるため、ワークの大きさに拘わらず、前記帯鋸刃の切削長さを短くして、ワークの切削抵抗を小さくすることができる。そのため、前記帯鋸刃の切り曲がりが抑制されて、前記帯鋸刃の寿命が長くなると共に、切削騒音が小さくなって、作業環境が向上する。